(57)【特許請求の範囲】
【請求項１】
筒状基部と、その一端側の外周部に電子機器の筐体に形成したケーブル引出部の開口径よりも大きな長さを有して突設された係止凸片とからなり、前記基部側からケーブルに装着した後に縮径されることによってカシメ付けられるクランプ金具と、
前記ケーブルを貫通させるケーブル孔が形成された全体筒状を呈し、外周部に前記ケーブル引出部の開口周壁部が嵌合される嵌合溝が形成されるとともに、前記ケーブル孔の一端側の開口部位に、前記係止凸片を外方に露呈させた状態で前記基部を収納する前記クランプ金具の収納部が拡径形成されてなるブッシュ部材とを備え、
前記ブッシュ部材が、前記収納部から露呈された前記クランプ金具の係止凸片を介して抜け止めされた状態で前記ケーブル引出部に装着されることにより、前記ケーブルを前記筐体から引き出すことを特徴とするケーブル引出装置。
【請求項２】
前記クランプ金具の係止凸片が、互いに形状を異にした少なくとも第１の係止凸片と第２の係止凸片とからなり、
前記筐体の内面に、前記第１の係止凸片と第２の係止凸片とがそれぞれ相対嵌合される第１の係止凸片嵌合空間部と第２の係止凸片嵌合空間部とを構成する係止リブ部が前記ケーブル引出部に対応して一体に形成され、
前記第１の係止凸片と第２の係止凸片とを、前記第１の係止凸片嵌合空間部と第２の係止凸片嵌合空間部とに嵌合させて前記ブッシュ部材を前記ケーブル引出部に装着することによって、前記筐体からの前記ケーブルの引出し状態を規定することを特徴とする請求項１に記載のケーブル引出装置。
【発明の詳細な説明】
【０００１】
【発明の属する技術分野】
本発明は、電子機器の筐体に形成したケーブル引出部からケーブルを保護かつ抜止めして引き出すようにしたケーブル引出装置に関する。
【０００２】
【従来の技術】
携帯電話機や各種の端末機器等の電子機器においては、一般に一対のハーフを組み合わせて筐体が構成され、各ハーフの突合せ部位に形成したケーブル引出部から電源コードや各種の信号ケーブル等のケーブルが引き出されて電源や外部機器と接続するように構成されている。電子機器においては、ケーブル引出部において信号ケーブルを保護するとともに抜け止めするために、信号ケーブルの先端部にケーブル引出装置が組み付けられる。
【０００３】
すなわち、従来の電子機器５０においては、図５に示すように、ハーフ５１にケーブル引出部５２が一体に形成され、このケーブル引出部５２から例えば多芯の信号ケーブル６０がケーブル引出装置７０を介して引き出される。ケーブル引出部５２は、信号ケーブル６０の外径よりも大きな開口径を有するケーブル引出口５３が貫通して形成された全体略半筒状を呈している。ハーフ５１には、その内面に、ケーブル引出部５２に対応して有底半円筒状の係止リブ部５４が一体に形成されている。
【０００４】
係止リブ部５４は、ケーブル引出部５２との間に、ケーブル引出口５３よりも大径とされて後述するクランプ金具７２の係止凸片７８が嵌合される断面半円形の嵌合空間部５５を構成する。係止リブ部５４には、ケーブル引出部５２と対向する底面部５４ａに、ケーブル引出口５３の内径よりも小径でかつ信号ケーブル６０よりも大径とされるとともにケーブル引出口５３と軸線を一致させてケーブルガイド孔５６が形成されている。
【０００５】
電子機器５０は、他方ハーフにも同様のケーブル引出部を形成することによって、一対のハーフを組み合わせた状態において全体が筒状を呈するケーブル引出部を筐体に構成する。なお、電子機器５０においては、係止リブ部５４が、例えばハーフ５１の内面に一体に突設した略Ｌ字状の立壁によって構成されることもある。
【０００６】
信号ケーブル６０は、例えば多数本の芯線６１を束ねて絶縁チューブ６２で被覆した多芯ケーブルからなり、先端部に電子機器５０の内部に配設した配線基板に搭載されたコネクタと接続されるコネクタ６３が設けられている。信号ケーブル６０には、図示しないが他端側に外部機器と接続されるコネクタが設けられている。信号ケーブル６０には、コネクタ６３を設ける前工程において、先端側からケーブル引出装置７０を構成するブッシュ部材７１と、クランプ金具７２とがこの順で外周部に装着される。
【０００７】
ケーブル引出装置７０は、ブッシュ部材７１と、クランプ金具７２とから構成される。ブッシュ部材７１は、やや軟質の合成樹脂材やゴム等を材料として、全長を貫通するケーブルガイド孔７３を有するとともに一端側から他端側に向かって外径が次第に大ならしめられたテーパ付の筒状体に成形されてなる。ブッシュ部材７１は、その大径部の外径が、ケーブル引出部５２の外径よりも小径でかつケーブル引出口５３の内径よりも大径とされてなる。ケーブルガイド孔７３は、その内径を信号ケーブル６０の外径よりも大径とされるとともにケーブル引出部５２のケーブル引出口５３の内径よりも小径とされてなる。
【０００８】
ブッシュ部材７１には、大径部側の端部近傍の外周部に全周に亘って嵌合溝７４が形成されている。嵌合溝７４は、その溝幅がケーブル引出部５２の軸長とほぼ等しくかつその内径がケーブル引出口５３の内径とほぼ等しい。ブッシュ部材７１は、嵌合溝７４によって切り残された大径部側の端部に、全周に亘って係止フランジ部７５が構成されている。係止フランジ部７５は、その外径が嵌合空間部５５の内径よりも小径とされてなる。
【０００９】
クランプ金具７２は、例えばアルミ材等のやや軟質の金属材により形成され、Ｖ字状のスリ割り溝７７が形成された筒状の基部７６と、この基部７６の一端側から軸方向に対して直交して外側に折曲された一対の係止凸片７８ａ、７８ｂとからなる。クランプ金具７２は、スリ割り溝７７を閉じた状態で、基部７６の内径が信号ケーブル６０の外径よりも小径とされてなる。クランプ金具７２は、スリ割り溝７７の溝幅を拡げることによって基部７６の内径を信号ケーブル６０の外径よりも大径とした状態で供給される。
【００１０】
係止凸片７８は、スリ割り溝７７を閉じた状態で、ハーフ５１の嵌合空間部５５の内径よりもやや短い長さを有して基部７６に折曲形成されている。係止凸片７８は、その厚みがブッシュ部材７１の係止フランジ部７５の厚みと加えて、嵌合空間部５５の長さよりも小さい。
【００１１】
以上のように構成されたケーブル引出装置７０においては、ブッシュ部材７１が、その小径部側からケーブルガイド孔７３に信号ケーブル６０を挿通することによって装着される。ケーブル引出装置７０においては、スリ割り溝７７を拡げた状態でクランプ金具７２が、係止凸片７８側から信号ケーブル６０に装着される。ケーブル引出装置７０においては、信号ケーブル６０の先端から所定の位置においてスリ割り溝７７を閉じて基部７６を縮径することにより、クランプ金具７２が信号ケーブル６０に対してカシメ付けられる。
【００１２】
ケーブル引出装置７０においては、ブッシュ部材７１が、その係止フランジ部７５をクランプ金具７２の係止凸片７８に当接させるようにして信号ケーブル６０の先端側へと移動される。ケーブル引出装置７０は、この状態でブッシュ部材７１がその嵌合溝７７にケーブル引出部５２を嵌合することによってハーフ５１に装着される。ケーブル引出装置７０においては、嵌合空間部５５内に互いに当接されたブッシュ部材７１の係止フランジ部７５とクランプ金具７２の係止凸片７８とが嵌合されるとともに、クランプ金具７２の基部７６がケーブルガイド孔５６を貫通する。
【００１３】
したがって、ケーブル引出装置７０は、ブッシュ部材７１の係止フランジ部７５が嵌合溝５３に嵌合されたケーブル引出部５２によって係止されるとともに、クランプ金具７２の係止凸片７８が係止フランジ部７５を介してケーブル引出部５２によって外側方向に対して係止されかつ係止リブ部５４によって内側方向に対して係止されてハーフ５１に組み付けられる。ケーブル引出装置７０は、信号ケーブル６０を、ブッシュ部材７１によって保護するとともにクランプ金具７２によって抜け止めしてケーブル引出部５２から引き出す。
【００１４】
【発明が解決しようとする課題】
従来の電子機器５０においては、上述したように信号ケーブル６０を抜止め保護するケーブル引出装置７０のクランプ金具７２が、その基部７６をケーブル引出部５２に対応してハーフ５１の内面に形成した係止リブ部５４から内部に突出している。したがって、従来の電子機器５０においては、ケーブル引出部５２の内側にクランプ金具７２の基部７６の長さに対応したデッドスペースが構成されることで、内部のスペース効率が悪いといった問題があった。
【００１５】
また、電子機器５０においては、信号ケーブル６０の筐体内部に引き込まれた一端側にコネクタ６３が取り付けられるとともに、引き出された多端側にも図示しないコネクタが取り付けられる。電子機器５０においては、コネクタ６３が配線基板に搭載したコネクタに嵌合されて接続されるが、表裏を誤った状態で挿入した場合にピン端子等を破損させるといった問題を生じさせる。したがって、電子機器５０においては、組立時にコネクタ６３の向きに注意して信号ケーブル６０を保持するケーブル引出装置７０を筐体に装着しなければならず、効率が悪いといった問題があった。
【００１６】
したがって、本発明は、ケーブルを保護して確実に抜け止めした状態で筐体のケーブル引出部から引き出すとともにケーブル引出部を小型化して内部スペースの拡大化を図りかつ組立の効率化を図るようにしたケーブル引出装置を提供することを目的としたものである。
【００１７】
【課題を解決するための手段】
この目的を達成する本発明にかかるケーブル引出装置は、ケーブルの一端部にカシメ付けされるクランプ金具と、筐体に形成したケーブル引出部に装着されるブッシュ部材とによって構成される。クランプ金具は、筒状基部と、その一端側の外周部に電子機器の筐体に形成したケーブル引出部の開口径よりも大きな長さを有して突設された係止凸片とからなる。ブッシュ部材は、ケーブルを貫通させるケーブル孔が形成された全体筒状を呈し、外周部に電子機器のケーブル引出部の開口周壁部が嵌合される嵌合溝が形成されるとともに、ケーブル孔の一端側の開口部位にクランプ金具の収納部が拡径形成されてなる。、クランプ金具の収納部は、ケーブルにカシメ付けられたクランプ金具を、その係止凸片を外方に露呈させた状態で基部を収納する。
【００１８】
また、ケーブル引出装置は、クランプ金具の係止凸片が互いに形状を異にした少なくとも第１の係止凸片と第２の係止凸片とからなり、ブッシュ部材をケーブル引出部に装着した状態においてこのケーブル引出部に対応して筐体の内面に一体に形成された係止凸片嵌合空間部に相対嵌合される。係止凸片嵌合空間部は、第１の係止凸片と第２の係止凸片の形状にそれぞれ対応した第１の係止凸片嵌合空間部と第２の係止凸片嵌合空間部とからなる。
【００１９】
以上のように構成された本発明にかかるケーブル引出装置によれば、ブッシュ部材のケーブル孔に貫通されたケーブルの一端部に対して、クランプ金具が、係止凸片を先端側に位置させて基部側から装着された後にその基部を縮径することによってその外周部にカシメ付けられる。ケーブル引出装置によれば、ケーブルに沿ってブッシュ部材を移動させてその収納部内にクランプ金具の基部を収納させる。ケーブル引出装置によれば、この状態でブッシュ部材の収納部からクランプ金具の係止凸片が露呈する。ケーブル引出装置によれば、この状態でブッシュ部材がその嵌合溝内に開口周壁部を相対嵌合させるようにしてケーブル引出部に装着される。ケーブル引出装置によれば、クランプ金具の係止凸片を介してブッシュ部材がケーブル引出部に装着されるとともに、ブッシュ部材によってケーブルを保護して筐体から引き出すようにする。したがって、ケーブル引出装置によれば、クランプ金具がブッシュ部材内に収納されることで筐体内部におけるこのクランプ金具の長さ分のスペース効率が図られるようになる。
【００２０】
また、ケーブル引出装置においては、ブッシュ部材を装着した状態において、係止凸片が係止凸片収納空間部に収納されることでブッシュ部材が筐体のケーブル引出部に対して抜け止めされる。ケーブル引出装置においては、長さを異にした第１の係止凸片と第２の係止凸片とを、それぞれ対応する空間形状を有する第１の係止凸片嵌合空間部と第２の係止凸片嵌合空間部とを筐体側に形成して嵌合するようにしたことにより、ケーブル引出部に装着することによって筐体からのケーブルの引出し状態を規定してこのケーブルに設けたコネクタの誤挿入や誤接続が防止されるようにする。
【００２１】
【発明の実施の形態】
以下、本発明の実施の形態について、図面を参照して詳細に説明する。実施の形態として図１乃至図４に示したケーブル引出装置２０も、携帯電話機やモバイル機器等の電子機器１の筐体２に形成したケーブル引出部３に装着され、電源や外部機器と接続される多芯の信号ケーブル１５をケーブル引出部３において抜止め保護しながら引き出すようにする。電子機器１は、詳細を省略するが筐体２が一対のハーフを組み合わせて構成され、各ハーフの突合せ部位にケーブル引出部３が形成される。
【００２２】
電子機器１は、基本的な構成を従来の電子機器５０とほぼ同様とするが、後述する係止リブ部７とこれによって構成される嵌合空間部８及びブッシュ部材２１及びクランプ金具２２とからなるケーブル引出装置２０の構成に特徴を有している。電子機器１は、かかる構成によって内部スペースの効率化が図られて小型化されるとともに、信号ケーブル１５が表裏を間違えることなく筐体２に装着されて組立工程の合理化が図られかつピン端子等の破損が防止されるようになる。
【００２３】
ケーブル引出部３は、図１に鎖線で示すように内部に配設された配線基板４に搭載したコネクタ５に対向位置して筐体２に一体に形成される。ケーブル引出部３は、信号ケーブル１５の外径よりも大きな開口径を有するケーブル引出口６が貫通して形成された全体略半筒状を呈している。なお、ケーブル引出部３は、各ハーフに互いに対応位置して形成されており、これらハーフを突き合わせた状態において全体筒状体となる。
【００２４】
筐体２には、図１乃至図３に示すようにその内面に、ケーブル引出部３に対応して略有底半円筒状を呈する係止リブ部７が一体に形成されている。係止リブ部７は、ケーブル引出部３との間に、後述するケーブル引出装置２０のブッシュ部材２１の係止フランジ部２５とクランプ金具２２の係止凸片２９とが嵌合される嵌合空間部８を構成する。係止リブ部７には、ケーブル引出部３と対向する底面部７ａに、ケーブル引出口６の内径よりも小径でかつ信号ケーブル１５よりも大径とされたケーブルガイド孔９が、ケーブル引出口６と軸線を一致させて形成されている。
【００２５】
係止リブ部７には、図２及び図３に示すように、半円形の底面部７ａに円周方向に対して略１／２の領域を小径とするように段差部１０が形成されている。係止リブ部７は、この段差部１０により嵌合空間部８を、図３において右側１／４領域に大径の第１の嵌合空間部８ａを構成するとともに左側１／４領域に大径の第２の嵌合空間部８ｂと小径の第３の嵌合空間部８ｃとを構成する。
【００２６】
第１の嵌合空間部８ａは、その内径が、ケーブル引出部３のケーブル引出口６よりも大径とされるとともにブッシュ部材２１の係止フランジ部２５の外径とほぼ等しい空間部である。第１の嵌合空間部８ａは、その幅（軸方向の長さ）が、ブッシュ部材２１の係止フランジ部２５の厚みとクランプ金具２２の係止凸片２９の厚みの和とほぼ等しい空間部である。
【００２７】
第２の嵌合空間部８ｂは、その内径が、第１の嵌合空間部８ａと等しく、その幅がブッシュ部材２１の係止フランジ部２５の厚みとほぼ等しい空間部である。
第３の嵌合空間部８ｃは、その内径が、ケーブル引出口６よりも大径とされるとともに係止フランジ部２５の外径よりも小径でありかつ後述するクランプ金具２２の第２の係止凸片２９ｂの長さとほぼ等しい空間部である。また、第３の嵌合空間部８ｃは、その幅が、第２の係止凸片２９ｂの厚みと等しい空間部である。
【００２８】
なお、ケーブル引出部３や係止リブ部７は、各ハーフに対してそれぞれ半円筒状に形成したが、ケーブル引出口６やケーブルガイド孔９を半円形とし、全体を例えば角筒状に形成してもよい。また、係止リブ部７は、例えば筐体２の内面から一体に突設した略Ｌ字状の立壁によって構成してもよい。
【００２９】
信号ケーブル１５は、図１に示すように、例えば多数本の芯線１６を束ねて絶縁チューブ１７で被覆した多芯ケーブルからなり、先端部に筐体２の内部に配設した配線基板４に搭載したコネクタ５と接続されるコネクタ１８が設けられている。信号ケーブル１５には、筐体２から引き出された他端側に外部機器と接続されるコネクタ１９が設けられている。信号ケーブル１５には、コネクタ１８を設ける前工程において、先端側からケーブル引出装置２０を構成するブッシュ部材２１と、クランプ金具２２とがこの順で外周部に装着される。
【００３０】
ケーブル引出装置２０は、図１及び図４に示すように、ブッシュ部材２１と、クランプ金具２２とから構成される。ブッシュ部材２１は、やや軟質の合成樹脂材やゴム等を材料として、全長を貫通するケーブルガイド孔２３を有するとともに一端側から他端側に向かって外径が次第に大ならしめられたテーパ付の筒状体に成形された基本形状について従来のブッシュ部材５１と同様とする。ブッシュ部材２１は、その大径部の外径が、ケーブル引出部３の外径よりも小径であるとともにケーブル引出口６の内径よりも大径とされてなる。
【００３１】
ブッシュ部材２１には、大径部側の端部近傍の外周部に全周に亘って嵌合溝２４が形成されている。嵌合溝２４は、その溝幅がケーブル引出部３の軸長とほぼ等しくかつその内径がケーブル引出口６の内径とほぼ等しい。ブッシュ部材２１は、嵌合溝２４によって切り残された大径部側の端部に、全周に亘って係止フランジ部２５が構成されている。係止フランジ部２５は、その外径が、上述したように各嵌合空間部８ａ〜８ｃの内径に対応して形成されている。
【００３２】
ケーブルガイド孔２３は、その内径が、信号ケーブル１５の外径よりも大径とされるとともに、ケーブル引出部３のケーブル引出口６の内径よりも小径とされてなる。ブッシュ部材２１には、その大径部側から嵌合溝２４に対応する部位に亘ってケーブルガイド孔２３の内径を太径とすることによって、クランプ金具収納凹部２６が形成されている。クランプ金具収納凹部２６は、ブッシュ部材２１の一側部から後述するクランプ金具２２の基部２７の軸長よりも長い軸長を有するとともに、その内径が基部２７の外径と等しい。
【００３３】
クランプ金具２２は、例えばアルミ材等のやや軟質の金属材により形成され、Ｖ字状のスリ割り溝２８が形成された筒状の基部２７と、この基部２７の一端側から軸方向に対して直交して外側に折曲された第１の係止凸片２９ａと第２の係止凸片２９ｂとからなる。クランプ金具２２は、スリ割り溝２８の溝幅を拡げて基部２７の内径を信号ケーブル１５の外径よりも大径とした状態で供給される。
クランプ金具２２は、信号ケーブル１５の外周部に装着された後に、スリ割り溝２８の溝幅を狭めるようにして基部２７が押し潰される。クランプ金具２２は、これによって基部２７の内径が信号ケーブル１５の外径よりも小径とされるように縮径され、信号ケーブル１５の外周部にカシメ付けられる。
【００３４】
第１の係止凸片２９ａと第２の係止凸片２９ｂとは、基部２７に対して中心対称位置に形成された短冊状の凸片からなる。第１の係止凸片２９ａは、スリ割り溝２８を閉じた状態で、上述したように筐体２側の係止リブ部７によって構成された第１の嵌合空間部８ａの内径と等しい長さを有して基部２７の一端側に直角に折曲されて形成されてなる。第２の係止凸片２９ｂは、スリ割り溝２８を閉じた状態で、上述したように筐体２側の係止リブ部７によって構成された第３の嵌合空間部８ｃの内径と等しい長さを有して基部２７の一端側に直角に折曲されて形成されてなる。
【００３５】
以上のように構成されたケーブル引出装置２０においては、ブッシュ部材２１が、その小径部側からケーブルガイド孔２３に信号ケーブル１５を挿通することによって装着される。ケーブル引出装置２０においては、スリ割り溝２８を拡げた状態でクランプ金具２２が、基部２７側から信号ケーブル１５に装着される。
ケーブル引出装置２０においては、信号ケーブル１５の先端から所定の位置においてスリ割り溝２８を閉じて基部２７を縮径することにより、クランプ金具２２が信号ケーブル１５の外周部にカシメ付けられる。
【００３６】
ケーブル引出装置２０においては、クランプ金具２２を信号ケーブル１５にカシメ付ける際に、第１の係止凸片２９ａと第２の係止凸片２９ｂとの向きがコネクタ１８、１９の向きに合わせられる。すなわち、ケーブル引出装置２０は、図１に示すようにコネクタ１８を長手方向に合わせるとともにコネクタ１９の表面１９ａを表側とした状態で、表面１９ａとスリ割溝２８とが同一面側に位置するように基部２７の位置調整を行った後にクランプ金具２２のカシメ付けが施される。
【００３７】
ケーブル引出装置２０においては、クランプ金具２２をカシメ付けた状態で、ブッシュ部材２１が信号ケーブル１５の先端側へと移動される。ケーブル引出装置２０においては、図４に示すように、クランプ金具２２の基部２７がブッシュ部材２１のクランプ金具収納凹部２６内に収納される。ケーブル引出装置２０においては、この状態でクランプ金具２２の第１の係止凸片２９ａと第２の係止凸片２９ｂとがブッシュ部材２１の係止フランジ部２５の外側面に当接し、これによってブッシュ部材２１が信号ケーブル１５の先端側から抜止めされてなる。
【００３８】
ケーブル引出装置２０は、上述したように信号ケーブル１５の先端部に装着された状態で、ブッシュ部材２１の嵌合溝２４にケーブル引出部３を嵌合することによって筐体２に装着される。ケーブル引出装置２０は、筐体２の嵌合空間部８に対してブッシュ部材２１の係止フランジ部２５とクランプ金具２２の第１の係止凸片２９ａと第２の係止凸片２９ｂとが嵌合される。すなわち、ケーブル引出装置２０は、図１及び図４に示すように、第１の嵌合空間部８ａに対して係止フランジ部２５と第１の係止凸片２９ａとが嵌合され、第２の嵌合空間部８ｂに対して係止フランジ部２５が嵌合され、第３の嵌合空間部８ｃに対して第２の係止凸片２９ｂが嵌合される。
【００３９】
ケーブル引出装置２０は、上述した工程を経て一方ハーフ側に装着された後に他方ハーフが組み合わされることによって、ブッシュ部材２１の全周が筒状を呈するケーブル引出部に装着されて信号ケーブル１５を筐体２から引き出す。信号ケーブル１５は、一端側のコネクタ１８が配線基板４のコネクタ５と結合されて接続される。
【００４０】
ケーブル引出装置２０においては、上述した係止フランジ部２５が嵌合溝２４に嵌合されたケーブル引出部３の内側面によって係止されることで、ブッシュ部材２１が抜止めされて筐体２に確実に保持される。ケーブル引出装置２０においては、第１の係止凸片２９ａと第２の係止凸片２９ｂとが係止フランジ部２５に当接してこれを補強するように構成したことにより、信号ケーブル１５に大きな引張り力が作用された場合にもケーブル引出部３に対してブッシュ部材２１が確実に抜止めされて信号ケーブル１５を確実に保持する。また、ケーブル引出装置２０においては、第１の係止凸片２９ａと第２の係止凸片２９ｂとが係止リブ部７の底面部７ａによって係止されることで、信号ケーブル１５に押込み力が作用された場合でも、内方への移動を確実に阻止する。
【００４１】
ケーブル引出装置２０においては、ケーブル引出部３においてブッシュ部材２１によって信号ケーブル１５を被覆することで、この信号ケーブル１５を保護する。ケーブル引出装置２０においては、ブッシュ部材２１やクランプ金具２２がケーブル引出部３と嵌合空間部８において装着状態が確実に保持されることで、信号ケーブル１５を抜止めする。
【００４２】
ケーブル引出装置２０においては、クランプ金具２２がその基部２７をブッシュ部材２１のクランプ金具収納凹部２６に収納されることで、筐体２の内部における突出量が低減された構成となっている。したがって、ケーブル引出装置２０は、筐体２の内部スペースを効率化して、電子機器１の小型化を達成させる。
【００４３】
ケーブル引出装置２０においては、クランプ金具２２に長さを異にした第１の係止凸片２９ａと第２の係止凸片２９ｂとを形成し、これら第１の係止凸片２９ａと第２の係止凸片２９ｂとに対応して空間形状を異にして筐体２に形成した係止リブ部７によって構成される第１の嵌合空間部８ａ乃至第３の嵌合空間部８ｃに嵌合する構成となっている。したがって、ケーブル引出装置２０においては、組立時において信号ケーブル１５に設けたコネクタ１８、１９の向きを規制する作用も奏することで、これらコネクタ１８、１９の誤挿入や誤接続が防止されるようにする。
【００４４】
なお、上述したケーブル引出装置２０は、電子機器１の筐体２に形成したケーブル引出部３に装着されて信号ケーブル１５を引き出すようにしたが、例えば電源コードの引出部に用いるようにしてもよいことは勿論である。ケーブル引出装置２０は、クランプ金具２２が上述した形状に限定されるものでは無く、筐体２の構造等に応じて適宜の形状に構成される。ブッシュ部材２１は、ケーブル引出部３が一方ハーフ側にのみ形成され、他方ハーフの突合せ部位によってその開口部を閉塞される構造である場合には半円筒形の外形に成形される。
【００４５】
【発明の効果】
以上詳細に説明したように、本発明にかかるケーブル引出装置によれば、電源コードや信号ケーブル等のケーブルの外周部にカシメ付けるクランプ金具の基部をブッシュ部材内に収納して筐体側のケーブル引出部に装着するように構成したことにより、ブッシュ部材とクランプ金具とによってケーブルを筐体に対して確実に抜止めしまたこれを保護するとともに、筐体内部におけるスペース効率を図って電子機器の小型化を実現する。また、ケーブル引出装置によれば、クランプ金具に長さを異にした第１の係止凸片と第２の係止凸片とを形成し、筐体側にそれぞれに対応する空間形状の第１の係止凸片嵌合空間部と第２の係止凸片嵌合空間部とを形成して嵌合することから、ケーブル引出部に装着することによって筐体からのケーブルの引出し状態を規定してコネクタの誤挿入や誤接続を防止するようにする。
【図面の簡単な説明】
【図１】本発明の実施の形態として示すケーブル引出装置を電子機器に装着した状態の一部切欠き要部平面図である。
【図２】電子機器の筐体に形成したケーブル引出装置が装着されるケーブル引出部の構成を説明する要部断面図である。
【図３】同ケーブル引出部を筐体の内側からみた要部側面図である。
【図４】同ケーブル引出装置を信号ケーブルに取り付けた状態を示す断面図である。
【図５】従来のケーブル引出装置を電子機器に装着した状態の一部切欠き要部平面図である。
【符号の説明】
１      電子機器
２      筐体
３      ケーブル引出部
６      ケーブル引出口
７      係止リブ部
８      嵌合空間部
８ａ    第１の嵌合空間部
８ｂ    第２の嵌合空間部
８ｃ    第３の嵌合空間部
９      ケーブルガイド孔
１０    段差部
１５    信号ケーブル
１８    コネクタ
１９    コネクタ
２０    ケーブル引出装置
２１    ブッシュ部材
２２    クランプ金具
２３    ケーブルガイド孔
２４    嵌合溝
２５    係止フランジ部
２６    クランプ金具収納凹部
２７    基部
２８    スリ割溝
２９ａ  第１の係止凸片
２９ｂ  第２の係止凸片
【図１】
0004547654.tif 000002
【図２】
0004547654.tif 000003
【図３】
0004547654.tif 000004
【図４】
0004547654.tif 000005
【図５】
0004547654.tif 000006